(57)【要約】  信号伝送又は電源供給のためのラインと、柔軟性及び形状保持性を有する第１の金属線と、第１の金属線とほぼ同一方向に延びる複数本の糸と、ライン、第１の金属線及び複数本の糸を被覆する被覆材とを備えるケーブルである。図１
2017141295.tif 000002
【特許請求の範囲】
【請求項１】
信号伝送又は電源供給のためのラインと、
柔軟性及び形状保持性を有する第１の金属線と、
前記第１の金属線とほぼ同一方向に延びる複数本の糸と、
前記ライン、前記第１の金属線及び前記複数本の糸を被覆する被覆材と
を備えるケーブル。
【請求項２】
前記複数本の糸が、綿糸もしくは化学繊維の少なくとも一方を含む請求項１に記載のケーブル。
【請求項３】
前記第１の金属線の周囲が絶縁被膜によって覆われた請求項１に記載のケーブル。
【請求項４】
少なくとも一端に電子機器との接続のための接続装置が設けられた請求項１に記載のケーブル。
【請求項５】
前記接続装置が回り止めを有する請求項４に記載のケーブル。
【請求項６】
前記回り止めは、前記接続装置の周面に樹脂又は金属で構成されている請求項５に記載のケーブル。
【請求項７】
前記回り止めは、前記接続装置の挿入部と接近／離間可能なように弾性を有する請求項６に記載のケーブル。
【請求項８】
前記回り止めが弾性を有する樹脂からなり、前記回り止めの表面にエラストマーが被覆された請求項７に記載のケーブル。
【請求項９】
前記第１の金属線は、複数本の金属線を束ねたものである請求項１に記載のケーブル。
【請求項１０】
前記ケーブルはアンテナを含むことを特徴とする請求項１に記載のケーブル。
【請求項１１】
前記第１の金属線がアンテナであること特徴とする請求項１に記載のケーブル。
【請求項１２】
前記第１の金属線と異なる第２の金属線を含み、前記第２の金属線の周囲が絶縁被膜によって覆われていることを特徴とする請求項１に記載のケーブル。
【請求項１３】
前記第２の金属線が、アンテナであることを特徴とする請求項１２記載のケーブル。
【請求項１４】
前記ライン、前記第１の金属線及び前記複数本の糸の周囲にシールド線が形成され、同軸状ケーブルとして構成とされている請求項１に記載のケーブル。
【請求項１５】
前記シールド線がアンテナである請求項１４に記載のケーブル。
【請求項１６】
前記信号又は電源を供給するラインがオーディオ信号伝送ラインである請求項１に記載のケーブル。
【請求項１７】
前記信号又は電源を供給するラインがＵＳＢケーブル、ＨＤＭＩケーブルである請求項１に記載のケーブル。
【発明の詳細な説明】
【技術分野】
【０００１】
本技術は、形状保持機能を有するケーブルに関する。
【背景技術】
【０００２】
電気スタンド、照明スタンド等の支持部に使用される金属線をケーブル状に巻いた形状保持機能付可撓性ケーブルが知られている。この種のケーブルは、金属線をケーブル状に形成するので、コストが高く、重量が重く、ケーブルの着色、ケーブルに対する印刷が難しく、柔軟性も乏しい問題があった。【０００３】
特許文献１には、ケーブルコアとケーブルコアを覆う合成樹脂製のシースからなり、シースの中に複数本の形状記憶用金属線を配する構造の形状保持機能付きのＬＡＮケーブルが記載されている。形状記憶用金属線がシースに密着しないで軸方向に変位可能なように配するようにされている。
【先行技術文献】
【特許文献】
【０００４】
【特許文献１】特開平９−９２０３８号公報
【発明の概要】
【発明が解決しようとする課題】
【０００５】
特許文献１の構成では、合成樹脂が充填されたシースを使用するので、重量が増加する問題がある。また、大きな角度で曲げた時に座屈が生じるおそれがあった。さらに、金属線とＵＳＢ（Universal Serial Bus）ケーブルを合成樹脂からなる鞘に入れて一端にＬＥＤ（Light Emitting Diode）ランプを接続し、パーソナルコンピュータの手元のライトの構成も知られている。この構成では、ＵＳＢケーブルと金属線が鞘で被覆される構成のために、ケーブルを持った時に固い感じを受ける。また、ＵＳＢコネクタの形状に合わせた偏平形状のために、丸形コネクタと接続するのに適した円形断面のケーブルを形成するのが困難であった。【０００６】
さらに、スマートフォンのジャックに対してプラグと同一形状の樹脂等からなるダミープラグを挿入し、ダミープラグに対してロッドを取り付け、ロッド先端のレンズによってスマートフォンの画面を拡大して見ることができるようにした拡大鏡が実用化されている。かかる拡大鏡は、信号伝送用途と無関係のものであり、本来のプラグと相違する樹脂製のダミープラグをジャックに挿入することによってジャック部分の接触不良等の劣化を引き起こすおそれがあった。【０００７】
したがって、本技術の目的は、これらの問題点が解消できるケーブルを提供することにある。
【課題を解決するための手段】
【０００８】
本技術は、信号伝送又は電源供給のためのラインと、柔軟性及び形状保持性を有する第１の金属線と、第１の金属線とほぼ同一方向に延びる複数本の糸と、ライン、第１の金属線及び複数本の糸を被覆する被覆材とを備えるケーブルである。
【発明の効果】
【０００９】
少なくとも一つの実施形態によれば、信号伝送又は電源供給のための機能とスタンドとしての機能の両方を一つのケーブルが持つことができる。さらに、ケーブルを着色したり、模様を印刷したりすることができる。なお、ここに記載された効果は必ずしも限定されるものではなく、本技術中に記載されたいずれの効果であってもよい。また、以下の説明における例示された効果により本技術の内容が限定して解釈されるものではない。
【図面の簡単な説明】
【００１０】
【図１】第１の実施の形態の使用状態の説明に使用する斜視図である。
【図２】ケーブルのプラグに設けられた回り止めの一例を説明するための斜視図である。
【図３】ケーブルのプラグに設けられた回り止めの一例を説明するための一部断面図である。
【図４】本技術の第１の実施の形態に係るアンテナ付イヤホンケーブルを含む受信システムを示す接続図である。
【図５】本技術の第１の実施の形態の周波数特性の説明に用いるグラフである。
【図６】第１の実施の形態における周波数に対するピークゲイン特性を示す図である。
【図７】本技術の第１の実施の形態におけるケーブルの説明に用いる断面図である。
【図８】本技術の第１の実施の形態におけるケーブルの製造時の説明に用いる断面図である。
【図９】金属線抜け止めの説明に用いる略線図である。
【図１０】第１の実施の形態の変形例を説明するための斜視図である。
【図１１】第１の実施の形態の変形例における回り止めを説明するための斜視図である。
【図１２】第１の実施の形態の変形例の使用状態の説明に使用する斜視図である。
【図１３】第１の実施の形態の変形例の使用状態の説明に使用する斜視図である。
【図１４】回り止めのさらなる変形例を説明するための正面図である。
【図１５】第２の実施の形態の使用状態の説明に使用する斜視図である。
【図１６】本技術の第２の実施の形態における同軸状ケーブルスタンドの説明に用いる断面図である。
【図１７】本技術の第２の実施の形態における同軸状ケーブルスタンドの製造時の説明に用いる断面図である。
【図１８】本技術の第３の実施の形態におけるケーブルスタンドの説明に用いる断面図である。
【図１９】本技術の第４の実施の形態におけるケーブルに使用する束ね線の一例の説明に用いる断面図である。
【図２０】束ね線の他の例の説明に用いる断面図である。
【図２１】本技術の第４の実施の形態の説明に用いる略線図である。
【図２２】本技術の第４の実施の形態の説明に用いる略線図である。
【図２３】本技術の第５の実施の形態の説明に用いる断面図である。
【図２４】本技術の第５の実施の形態の変形例の説明に用いる断面図である。
【図２５】本技術の第５の実施の形態の変形例の説明に用いる断面図である。
【発明を実施するための形態】
【００１１】
以下に説明する実施の形態は、本技術の好適な具体例であり、技術的に好ましい種々の限定が付されている。しかしながら、本技術の範囲は、以下の説明において、特に本技術を限定する旨の記載がない限り、これらの実施の形態に限定されないものとする。
なお、本技術の説明は、次の順序にしたがってなされる。
＜１．第１の実施の形態＞
＜２．第２の実施の形態＞
＜３．第３の実施の形態＞
＜４．第４の実施の形態＞
＜５．第５の実施の形態＞
＜６．変形例＞
【００１２】
＜１．第１の実施の形態＞
「使用状態」
スマートフォンによってテレビジョン放送の番組を受信又は録画したり、インターネット上の画像を閲覧したりする場合、現状ではユーザが手にスマートフォンを持って画面を見るようになされている。一方、家庭ではスマートフォンを机上等に置いて画面を見ることができると便利であり、そのための専用スタンド（台）が付属又は市販されている。テレビジョン放送を見る場合に使用するアンテナとして、アンテナ付イヤホンケーブルが知られている。しかしながら、スマートフォンをスタンドに置いてテレビを見るためにはスタンド自体を持ち運ぶ必要があるので利便性に欠ける。
【００１３】
図１に示すように、本技術が適用されたアンテナ付イヤホンケーブル１は、形状保持機能を有しているので、スマートフォン１０１に接続すると、別体のスタンド又はホルダーを使用しなくても、スマートフォン１０１を立てて置くことができる。スマートフォン１０１は、表示系回路、液晶表示デバイス等の表示部、キー入力等を行う操作部を有する。以下、スタンドとしての機能、すなわち、形状保持機能を有するアンテナ付イヤホンケーブル１について説明する。
【００１４】
アンテナ付イヤホンケーブル１は、例えばテレビジョンチューナを内蔵するスマートフォン１０１のイヤホン接続用ジャック例えば４極ジャックと接続されるプラグ例えば４極プラグ２と、４極プラグ２と接続される同軸状ケーブル４と、４極ジャック５とを有する。４極プラグ２には一体に樹脂成型で回り止め３が形成されている。４極ジャック５に対してイヤホンケーブル（図示しない）が接続されてイヤホンにより音声を聴くようになされる。なお、４極プラグ及び４極ジャックに代えて３極プラグ及び３極ジャックを使用するようにしてもよい。
【００１５】
回り止め３は、図２に拡大して示すように、４極プラグ２のカバーと一体に形成されたＬ字状の弾性片を有している。４極プラグ２がスマートフォン１０１のジャックに挿入されると、弾性片がスマートフォン１０１の背面（又は前面）側に位置し、スマートフォン１０１が回転することを阻止するようになされる。回り止め３は、他の形状であってもよい。回り止め３を形成する場合、図３に示すように、直径３．５ｍｍの４極プラグ２に線材を半田付けした後にカバー６を一次成型し、次にカバー６を覆うように回り止め３の二次成型を行う。
【００１６】
図４を参照してアンテナ付イヤホンケーブル１の電気的接続について説明する。スマートフォン１０１は、イヤホン及びマイクロホン接続用に丸型の４極ジャック１０２を有する。４極ジャック１０２は、アンテナ付イヤホンケーブル１の丸型の４極プラグ２のチップ（Ｌチャンネル端子）と接続される電極ＴＬと、４極プラグ２のリング（Ｒチャンネル端子）と接続される電極ＴＲと、４極プラグ２のリング（マイクロホン端子）と接続される電極ＴＭと、４極プラグ２のスリーブ（グランド端子）と接続される電極ＴＧとを有する。
【００１７】
電極ＴＬからフェライトビーズＦＢを介してオーディオＬチャンネルの信号ライン（Ｌ）が引き出される。電極ＴＲからフェライトビーズＦＢを介してオーディオＲチャンネルの信号ライン（Ｒ）が引き出される。電極ＴＧがフェライトビーズＦＢを介してオーディオ用グランドライン（Ｇ）として引き出されると共に、コンデンサを介してアンテナ信号ライン（ＡＮＴ）として引き出される。アンテナ信号ラインは、図示しないが、スマートフォン１０１内の受信装置（チューナ）に対して接続されている。さらに、電極ＴＭに対してフェライトビーズＦＢを介してマイクロホン用ライン（ＭＩＣ）が引き出される。フェライトビーズＦＢは高周波成分の遮断のために接続されている。フェライトビーズＦＢに代えてコイルを使用してもよく、そのほかの高周波成分を遮断する機構が備わっていればよい。
【００１８】
アンテナ付イヤホンケーブル１は４極プラグ２に接続される同軸状ケーブル４を有する。同軸状ケーブル４の長さは、例えば１００ｍｍである。同軸状ケーブル４には、Ｌチャンネルのオーディオ信号伝送用ライン１２Ｌと、Ｒチャンネルのオーディオ信号伝送用ライン１２Ｒと、グランドライン１２Ｇと、マイクロホンケーブル１２Ｍとが含まれている。
【００１９】
同軸状ケーブル４の各ラインが中継部１３を介して４極プラグ２の後側に突出されている電極に対して高周波遮断機能を有するフェライトビーズＦＢを介してそれぞれ接続される。中継部１３は、たとえば基板あるいはモールド成型にて形成される。フェライトビーズＦＢの代わりにコイルを接続してもよい。さらに、中継部１３及びフェライトビーズＦＢに代えてフェライトコアを使用してもよい。フェライトビーズＦＢは、オーディオ帯域で低インピーダンス、高周波の領域、たとえばＶＨＦ帯以上では、高インピーダンスとなるような高周波遮断のために実装されている。フェライトビーズＦＢに代えてコイルを使用してもよく、そのほかの高周波成分を遮断する機構が備わっていればよい。
【００２０】
同軸状ケーブル４には、編組銅線の構成のシールド線１４が設けられている。同軸状ケーブル４のシールド線１４がモノポールアンテナとして機能する。同軸状ケーブル４の長さが約λ／４（λ：受信周波数の波長）に設定されている。さらに、後述するように、同軸状ケーブル４の形状保持機能のために内部に金属線１１が配されている。同軸状ケーブル４の他端には、丸型の４極ジャック５が接続されている。
【００２１】
イヤホン部１１１は、４極ジャック５と接続される丸型の４極プラグ１１２に対してイヤホンケーブル１１３Ｌ及び１１３Ｒを介してイヤホン１１４Ｌ、１１４Ｒが接続された構成を有する。イヤホンケーブル１１３Ｇは、左右のチャンネルに対して共通のグランドラインである。４極ジャック５及び４極プラグ１１２は、例えば３．５ｍｍ径のものであり、スマートフォン１０１の４極ジャック１０２に対しても接続できる。
【００２２】
図５は、第１の実施の形態のＶＳＷＲ（Voltage Standing Wave Ratio）の測定結果を示す。図５の横軸が周波数、縦軸が反射損失の値である。図５に示すように、例えば５７０ＭHz付近での反射損失が小さいものとなっている。
【００２３】
図６は、第１の実施の形態における周波数に対するピークゲイン特性を示す図である。ピークゲインをダイポールアンテナのゲインに対する相対的なゲインである。図６において図示されているカーブ１５Ｈは、水平偏波の特性を示しており、カーブ１５Ｖは、垂直偏波の特性を示している。図６はアンテナ付イヤホンケーブル１の単体の特性を示している。測定結果の詳細を表１及び表２に示す。
【００２４】
【表１】
2017141295.tif 000003
【００２５】
【表２】
2017141295.tif 000004
【００２６】
図７は、同軸状ケーブル４を長手方向に対して垂直に切断した断面図である。同軸状ケーブル４は、Ｌチャンネルのオーディオ信号伝送用ライン１２Ｌと、Ｒチャンネルのオーディオ信号伝送用ライン１２Ｒと、グランドライン１２Ｇと、マイクロホンケーブル１２Ｍとを有する。これらの伝送ライン１２Ｌ，１２Ｒ，１２Ｇ、１２Ｍは、それぞれ絶縁用の被覆材例えばポリウレタンで被覆されたものである。
【００２７】
さらに、４本のオーディオ信号伝送用ラインが被覆材によって束ねられている。被覆材は、アルミニウム等の金属箔、樹脂、フェライトのような磁性材料を混合した樹脂、紙等である。この被覆材によって束ねられたオーディオ信号伝送用ラインを信号線２１と適宜称する。被覆材としてフェライトの粉体が混合された合成樹脂を使用すると、シールド線１４と信号線２１との間に電波吸収部が介在し、シールド線１４及び信号線２１との間のアイソレーションを確保することができる。それによって、シールド線１４のアンテナとしての特性を良好とできる。
【００２８】
シールド線１４は、内側絶縁被覆２２上に設けられた編組銅線でシールド線１４の上にさらに外側絶縁被覆２３が設けられている。内側絶縁被覆２２によって信号線２１と共に、樹脂２４で被覆された金属線１１及び綿糸２６が被覆されている。金属線１１は形状を自由に変えることができるような柔軟性を有すると共に、スマートフォン１０１のスタンドとして機能する程度の形状保持性を有する。金属線１１は例えば銅、鉄、ステンレス、それらの合金等の金属で構成され、直径が０．５ｍｍ以上の線材である。樹脂２４の厚みは例えば０．２５ｍｍとされている。但し、樹脂２４で金属線１１を被覆することは必須ではない。一例として１．０ｍｍの軟銅線が使用される。金属線１１の径及び材質は支える電子機器の重量を考慮して適宜設定される。
【００２９】
綿糸２６以外にアラミド、ナイロン、レーヨン等の化学繊維の糸等の絶縁性の糸を使用しても良い。綿糸２６はコストの面で有利であり、また、入手容易であり、切断等の加工が容易である。糸は複数本の糸を撚った撚り糸の形態を有するので、製造時には、図８に示すように、内側絶縁被覆２２によって複数本の糸が束ねられた状態で存在している。製造後、又はある程度の期間使用されると、内部で綿糸２６がほぐれて内部にほぼ均一に分散して存在する図７に示す状態となる。撚り糸としては、２〜４本程度の本数の糸を撚った糸を束ねたもの、又はより多くの本数の糸を束ねた１本の撚り糸を使用できる。綿糸２６の長さは同軸状ケーブル４の全長と略等しい長さのものを使用できる。但し、より短い長さに分割した綿糸２６を使用しても良い。なお、金属線１１が抜けることを防止するためにその先端を図９に示すように、折り曲げるようにしてもよい。
【００３０】
本技術の同軸状ケーブル４では綿糸２６のような糸をケーブルの長手方向に沿って配することによって、同軸状ケーブル４の内部に糸が充填され、同軸状ケーブル４の断面をほぼ円形とすることができる。したがって、同軸状ケーブル４に対して丸型のコネクタ（プラグ又はジャック）を接続することが容易となる。さらに、手に持った場合に表面が柔らかい弾力性を持つことができ、折り曲げ操作時の感触が良い利点がある。
【００３１】
「第１の実施の形態の変形例」
図１０乃至図１４を参照して上述した第１の実施の形態の変形例について説明する。図１０に示すように、アンテナ付イヤホンケーブル１’は、上述したように、４極プラグ２及び４極ジャック５が形状保持機能を有している同軸状ケーブル４の両端に接続された構成とされる。４極プラグ２は例えばＬ型形状とされている。但し、上述したようなストレート型でもよい。４極プラグ２と一体に４極プラグ２（同軸状ケーブル４）の回転を阻止する回り止め７が一体に設けられている。上述した回り止め３と異なる構成の回り止め７が設けられる。
【００３２】
回り止め７は、図１１にも示すように、プラグ先端側のジャック挿入部と接近するように、プラグ基部側から突出され、先端部がジャック挿入部と離間する方向に曲がった形状とされている。回り止め７が樹脂からなり、その先端がジャック挿入部と接近／離間自在する弾性を有している。回り止め７の屈曲位置とジャック挿入部が接触するようにしてもよい。回り止め７の屈曲位置とジャック挿入部の間隔が近いほど回り止め７がスマートフォンを挟持した場合の力が増加する。また、回り止め７の厚み（太さ）が大きいほど回り止め７の挟持する力が増加する。回り止め７はスマートフォン等の電子機器の厚みの相違に対応する柔軟性を有する。さらに、スマートフォンをカバーで覆った結果生じる、厚みの増加に対しても回り止め７が対応することができる。さらに、回り止めのみならず、プラグの抜け止めに寄与する効果も生じる。
【００３３】
４極プラグ２がモールド成型される場合に、回り止め７も成型される。図１０及び図１１は、理解を容易とするために、プラグ基部側と回り止め７の部分等を概略的な透視図として示すものである。４極プラグ２の製作時には、図４を参照して説明したように、同軸状同軸状ケーブル４の各ラインが中継部１３を介してジャック挿入部の後側に突出されている電極に対して高周波遮断機能を有するフェライトビーズＦＢを介してそれぞれ接続される。中継部１３は、たとえば基板あるいはモールド成型にて形成される。このように接続されたケーブルの端部とラインと電極と回り止め７（中継部１３）が樹脂例えばＰＰ（ポリプロピレン）により一次成型される。図１１において参照符号８ａが一次成型された回り止めを示す。
【００３４】
さらに、ダブルモールドの二次成型がなされ、４極プラグ２のジャック挿入部を除く表面全体が柔軟性を有する材料例えばエラストマーによって被覆される。エラストマーはゴム弾性を有する材料の総称である。図１１において、二次成型によって形成されたエラストマーの被覆を参照符号８ｂによって示す。上述した回り止め３のカバー６と被覆８ｂは同様のものである。
【００３５】
回り止め７は、その弾性によって樹脂バネ又は樹脂クリップとしての機能を有し、４極プラグ２をフラットな形状の携帯機器例えばスマートフォン１０１のイヤホン接続用ジャック（４極ジャック）と接続した場合、ジャック挿入部と回り止め７によってスマートフォン１０１の本体を挟持することができる。図１２及び図１３に示すように、アンテナ付イヤホンケーブル１’は、形状保持機能を有しているので、スマートフォン１０１に接続すると、別体のスタンド又はホルダーを使用しなくても、スマートフォン１０１を適当な角度でもって立てて置くことができる。４極ジャック５に対してイヤホンケーブル（図示しない）が接続されてイヤホンにより音声を聴くようになされる。エラストマー等の被覆８ｂで回り止め７を覆っているので、回り止め７がスマートフォン１０１を挟んだ場合に、スマートフォン１０１の表面が傷つくことを防止することができる。さらに、被覆８ｂの滑り止め効果によって挟持状態を強固なものとすることができる。
【００３６】
図１４は、回り止めのさらなる変形例を示す。この回り止め９は、４極プラグ２に設けられた支点１０ａに回転自在に取り付けられている棒状又は板状のクリップ１０ｂを有する。クリップ１０ｂの一端と４極プラグ２の間にバネ１０ｃが設けられている。バネ１０ｃによって、クリップ１０ｂの他端に貼り付けられたエラストマー等の弾性片１０ｄがジャック挿入部に当たるような弾性力がクリップ１０ｂに付与される。バネ１０ｃは、コイルバネ、板バネ、リングバネ等を使用でき、金属バネに限らず樹脂バネを使用することもできる。クリップ１０ｂと同様の構成のクリップを４極プラグ２の反対側面に設けるようにしてもよい。弾性片１０ｄに代えて弾性キャップを設けてもよい。
【００３７】
スマートフォン等の電子機器の４極ジャックに対して４極プラグ２を挿入した場合に、回り止め９によって４極プラグ２（同軸状ケーブル４）が回転することを防止することができ、また、クリップ構造としているので、回り止め３と同様に種々の厚みの電子機器に適用することができる。さらに、弾性片１０ｄのような弾性部によって電子機器のケースに傷が付くことを防止することができるので、ダブルモールドを省略して被覆を設けない構成とすることできる。
【００３８】
＜２．第２の実施の形態＞
「使用状態」
図１５は本技術の第２の実施の形態の使用状態を示す。室内アンテナエレメント３１が同軸状ケーブルスタンド３２によって支持される。同軸状ケーブルスタンド３２は同軸ケーブルが入ったケーブルである。同軸状ケーブルスタンド３２はベース３３から立設されている。ベース３３にはテレビジョン受像機との接続のための同軸ケーブル及びコネクタ３４が設けられている。本技術が同軸状ケーブルスタンド３２に対して適用され、同軸状ケーブルスタンドが可撓性と形状保持機能を有する。したがって、室内アンテナエレメント３１の向きを自由に設定することができる。
【００３９】
図１６は、同軸状ケーブルスタンド３２の長手方向に対して垂直に切断した断面図である。上述した同軸状ケーブル４と比較すると、オーディオ信号伝送用ラインを設けていない点が相違する。したがって、外側絶縁被覆２３によって、樹脂２４で被覆された金属線１１、綿糸２６及び同軸状ケーブル２７が被覆されている。同軸状ケーブル２７が芯線２８及びシールド線２９を有する。
【００４０】
第１の実施の形態と同様に、金属線１１は自由に折り曲げることができるような柔軟性を有すると共に、室内アンテナエレメント３１のスタンドとして機能する程度の形状保持性を有する。例えば銅、鉄、ステンレス、それらの合金等からなり、直径が０．５ｍｍ以上の線材である。金属線１１の径及び材質は支える室内アンテナエレメント３１の重量を考慮して適宜設定される。
【００４１】
綿糸２６以外にアラミド、ナイロン、レーヨン等の化学繊維の糸等の絶縁性の糸を使用しても良い。綿糸２６はコストの面で有利であり、また、入手容易であり、切断等の加工が容易である。糸は複数本の糸を撚った撚り糸の形態を有するので、製造時には、図１７に示すように、内側絶縁被覆２２によって複数本の糸が束ねられた状態で存在している。製造後、又はある程度の期間使用されると、内部で綿糸２６がほぐれて内部にほぼ均一に分散して存在する図１６に示す状態となる。撚り糸としては、２〜４本程度の本数の糸を撚った糸を束ねたもの、又はより多くの本数の糸を束ねた１本の撚り糸を使用できる。綿糸２６の長さは同軸状ケーブルスタンド３２の全長と略等しい長さのものを使用できる。但し、より短い長さに分割した綿糸２６を使用してもよい。抜け止めのために、金属線１１の先端を折り曲げるようにしてもよい。
【００４２】
ケーブルスタンド３２を使用することによって接続用の同軸状ケーブルとスタンドを別々に使用する必要がなくなる。さらに、本技術の同軸状ケーブルスタンド３２では綿糸２６のような糸をケーブルの長手方向に沿って配することによって、同軸状ケーブルスタンド３２の内部に糸が充填され、手に持った場合に表面が柔らかい弾力性を持つことができ、折り曲げ操作時の感触が良い利点がある。
【００４３】
＜３．第３の実施の形態＞
図１８に示すように、第３の実施の形態は第２の実施の形態における同軸状ケーブル２７の代わりに信号伝送又は電源供給のためのライン２５を設けるようにしたケーブルスタンド３５である。ライン２５の本数は用途に応じた本数とされる。例えばライン２５がイヤホンケーブルであって接続用のジャックを有していれば、携帯型のデジタルオーディオプレーヤのスタンド兼イヤホンケーブルとしてケーブルスタンド３５を使用することができる。
【００４４】
＜４．第４の実施の形態＞
上述した第１、第２及び第３の実施の形態における同軸状ケーブル４においては、形状保持に必要な剛性を持つために、所定の太さの１本の金属線１１を使用している。第４の実施の形態では、この金属線１１に代えてより小さい線径の複数本の金属線を束ねたもの（束ね線と称する）を使用する。束ね線は、より線の構成を有するが、よることは必須ではなく、単に被覆で束ねたものでもよい。一例として、図１９に示すように、７本の細い金属の線材４１ａ〜４１ｇを１本にまとめて絶縁被膜４２によって被覆した束ね線が使用される。他の例として、図２０に示すように、３本の細い金属の線材４３ａ，４３ｂ，４３ｃを１本にまとめて絶縁被膜４２によって被覆した束ね線が使用される。絶縁被膜４２は例えばポリプロピレンからなる。他の本数の線材を束ねた束ね線を使用してもよい。なお、金属線１１及び束ね線の線材の材料としては例えば軟銅が使用される。但し、軟銅以外に同様の物理的性質を有する金属を使用してもよい。
【００４５】
かかる束ね線は、金属線１１と同様に、スマートフォン等の電子機器を支えるのに必要な剛性を有し、しかも、折り曲げに対する屈曲特性の点では、金属線１１よりも優れた性能を有することができる。最初に剛性について説明する。図２１に概略的に示すような剛性の試験装置を使用する。スパンＬの線材４４の一端が固定され、他端に所定の荷重Ｐが加えられた時の他端のたわみδが測定される。スパンＬ＝３０ｍｍ、荷重Ｐ＝１Ｎとした場合のたわみδの測定結果を表３に示す。測定は、線材４４として、Ｄ（線径）＝０．５ｍの単線、Ｄ＝１．０ｍの単線、Ｄ＝０．５ｍの単線を３本束ねた束ね線、Ｄ＝０．６ｍの単線を３本束ねた束ね線、Ｄ＝０．５１７ｍの単線を３本束ねた束ね線、Ｄ＝０．３２６ｍの単線を７本束ねた束ね線について行った。
【００４６】
【表３】
2017141295.tif 000005
【００４７】
一例としてＬ＝３０ｍｍ、Ｄ＝１ｍｍの単線のたわみδ＝１．７２ｍｍを剛性（強度）の基準とする。基準の意味は、所定の重量のスマートフォンを支持できる程度の剛性のことである。表３の測定結果からは、Ｄ＝０．５ｍｍの単線以外の束ね線がほぼ必要な剛性を持つことが分かる。束ね線の線数が同じ場合では、線径が大きいほど強度が高い。単線である金属線１１との比較においては、全体の線径が実質的にほぼ等しい束ね線の剛性に着目する必要がある。
【００４８】
線数が７本の場合（図１９参照）では、Ｄ＝０．３２６ｍｍの線材を使用すると、束ね線の線径がほぼ１ｍｍとなる。すなわち、絶縁被膜４２の厚みを０．２２ｍｍとすると、全体の線径ＯＤは（０．２２×２＋０．３２６×３＝１．４１８ｍｍ）となる。表３に示すように、かかる束ね線のたわみは（δ＝２．８７ｍｍ）となり、基準の剛性に近い剛性が得られる。
【００４９】
線数が３本の場合（図２０参照）では、Ｄ＝０．５１７ｍｍの線材を使用すると、束ね線の線径がほぼ１ｍｍとなる。すなわち、絶縁被膜４２の厚みを０．２ｍｍとすると、全体の線径ＯＤは（０．２×２＋０．５１７×２＝１．４３４ｍｍ）となる。表３に示すように、かかる束ね線のたわみは（δ＝２．２６ｍｍ）となり、基準の剛性に近い剛性が得られる。
【００５０】
次に、束ね線の屈曲特性について説明する。図２２に示すように、単線を曲げた場合に中心より外側に伸ばされ、内側が圧縮される。歪の最大値は式（１）で表される。
ｍａｘ（ａｂｓ（ε））＝ｄ／（２＊Ｒ）          （１）
式（１）において、
ε：歪
ｄ：単線の外径（ｍ）
Ｒ：曲げの曲率半径（ｍ）
ａｂｓ（ｘ）：ｘの絶対値
ｍａｘ（ｘ）：ｘの最大値
である。
すなわち、式（１）が単線で生じる歪振幅の最大値である。
【００５１】
単線に対して繰り返して曲げを与えた場合、単線の外側と内側に式（１）で表される歪を与えることになる。一旦、外側に疲労による亀裂が生じれば、あとは応力集中で一気に破断が生じることになるので、最大の歪振幅を受ける場所の破断繰り返し数が、単線そのものの破断繰り返し数になると考えることができる。つまり、次の式（２）の関係が得られる。
【００５２】
Ｎ＝ａ＊（Ｒ／ｄ）2           （２）
式（２）において、
Ｎ：単線の破断繰り返し数（ｃｙｃｌｅ）
Ｒ：曲げの曲率半径（ｍ）
ｄ：単線の外径（ｍ）
ａ：材料によって決まる定数
である。
実際に実験の結果も一致して通常の軟銅線の場合はａ〜１．４程度である。
【００５３】
式（２）から単線の疲労強度は、曲げの最小曲率半径の二乗に比例し、単線の外径の二乗に反比例することが分かる。使用時の繰り返し曲げを考慮した場合には、細い径の線材を使用する方が破断しにくいものとでき、有効である。単線の場合の屈曲回数の理論値と測定値を表４に示す。
【００５４】
【表４】
2017141295.tif 000006
【００５５】
線数が７本の場合（図１９参照）では、ｄ＝０．３２６ｍｍの線材を使用しており、絶縁被膜４２を除くと、線径が０．９７８ｍｍとなる。曲率半径Ｒ（ｍｍ）が５、７、８、１０、１５、２０、２５のそれぞれの屈曲回数を求めた結果を表４に示す。また、線数が３本の場合（図２０参照）では、ｄ＝０．５１７ｍｍの線材を使用しており、絶縁被膜４２を除くと、線径が１．０３４ｍｍとなる。曲率半径Ｒ（ｍｍ）が５、７、８、１０、１５、２０、２５のそれぞれの屈曲回数を求めた結果を表６に示す。
【００５６】
【表５】
2017141295.tif 000007
【００５７】
【表６】
2017141295.tif 000008
【００５８】
表４と表５を比較すると分かるように、７本の束ね線はＲ＝５ｍｍの場合で、（Ｎ＝３２９）となり、単線の（Ｎ＝３９（理論値）、Ｎ＝５６（測定値））に比してはるかに多くの回数の屈曲に耐えることができる特性を有する。表４と表６を比較すると分かるように、３本の束ね線はＲ＝５ｍｍの場合で、（Ｎ＝１３１）となり、単線の（Ｎ＝３９（理論値）、Ｎ＝５６（測定値））に比してはるかに多くの回数の屈曲に耐えることができる特性を有する。
【００５９】
第４の実施の形態は、このように、複数の細い線材を１本に束ねた束ね線を使用することによって、単一の金属線と同様の剛性を持ちつつ、屈曲特性を向上させることができる。
【００６０】
＜５．第５の実施の形態＞
第５の実施の形態は、第１の実施の形態と同様にアンテナ付イヤホンケーブルに対して適用可能なケーブルである。第１の実施の形態では、同軸状ケーブル４に設けられているシールド線１４をアンテナとして機能させている。これに対して第５の実施の形態におけるケーブル５０Ａでは、シールド線を設けない構成で、図２３に示すように、複数本の金属線５２を束ねて被膜材で被覆した束ね線５１にアンテナの機能を持たせるようしている。被覆材は、アルミニウム等の金属箔、樹脂、フェライトのような磁性材料を混合した樹脂、紙等である。なお、束ね線５１は、より線であっても、よってない線であってもよい。また，束ね線５１の金属線５２の本数は適宜設定される。
【００６１】
さらに、この束ね線５１がスマートフォン等の電子機器を支えるのに足る剛性を持つものとされる。したがって、第１の実施の形態の同軸状ケーブル４（図７）と比較すると、シールド線１４のみならず、金属線１１も省略することができる。すなわち、ケーブル５０Ａの絶縁被膜６１によって覆われる部材が信号線２１、束ね線５１、綿糸２６となる。信号線２１は、Ｌチャンネルのオーディオ信号伝送用ライン１２Ｌと、Ｒチャンネルのオーディオ信号伝送用ライン１２Ｒと、グランドライン１２Ｇと、マイクロホンケーブル１２Ｍを有する。これらの伝送ライン１２Ｌ，１２Ｒ，１２Ｇ、１２Ｍは、それぞれ絶縁用の被覆材（紙、ポリウレタン等）で被覆されたものである。
【００６２】
さらに、４本のオーディオ信号伝送用ラインが被覆材によって束ねられている。被覆材は、アルミニウム等の金属箔、樹脂、フェライトのような磁性材料を混合した樹脂、紙等である。さらに、信号線２１の被覆材の周面がフェライトの粉体が混合された合成樹脂５３によって覆われ、絶縁被膜５４によって被覆されている。合成樹脂５３によって、信号線２１と束ね線５１（アンテナケーブル）の間のアイソレーションを確保することができる。それによって、束ね線５１のアンテナとしての特性を良好とできる。
【００６３】
かかる第５の実施の形態のケーブル５０Ａは、第１の実施の形態の同軸状ケーブル４と比較すると、シールド線１４及び金属線１１を有しないので、ケーブルの線径を小さくすることができる。図７の構成において、ケーブルを細くするために最外周の被覆を薄くすると、使用している間に被膜にしわが発生する問題が生じるおそれがある。第５の実施の形態では、シールド線１４を有しないので、細いケーブルとすることができる。
【００６４】
第５の実施の形態の他の構成のケーブル５０Ｂを図２４に示す。アンテナ機能を有する束ね線５１の金属性線５２の本数を図２３の構成と比較して減少させ、それによって低下する形状保持力を補うために、３本の細い金属の線材４１ａ，４１ｂ，４１ｃを１本にまとめて絶縁被膜４２によって被覆した束ね線が使用される。絶縁被膜４２は例えばポリプロピレンからなる。形状保持のための束ね線は、上述した第４の実施の形態と同様のものである。線材の本数は、３本に限られない。束ね線の線材の材料としては例えば軟銅が使用される。但し、軟銅以外に同様の物理的性質を有する金属を使用してもよい。
【００６５】
形状保持のために束ね線の代わりに単線の金属線を使用してもよい。さらに、図２５に示すように、線材４１ａ，４１ｂ，４１ｃを１本にまとめて絶縁被膜４２によって被覆した束ね線に加えて、１本の金属線５５を絶縁被膜５６で被覆した線材を使用してもよい。図２５の構成では、形状保持の剛性をより高くすることができる。図２４又は図２５に示す構成によってもケーブルの線径を細くすることができる。
【００６６】
＜６．変形例＞
以上、本技術の実施の形態について具体的に説明したが、上述の各実施の形態に限定されるものではなく、本技術の技術的思想に基づく各種の変形が可能である。例えば、回り止めを形成するためには、ダブルモールドに限らず、他の成型法を使用してもよい。また、上述の実施の形態において挙げた構成、方法、工程、形状、材料及び数値などはあくまでも例に過ぎず、必要に応じてこれと異なる構成、方法、工程、形状、材料及び数値などを用いてもよい。
【００６７】
なお、本技術は、以下のような構成も取ることができる。
（１）
信号伝送又は電源供給のためのラインと、
柔軟性及び形状保持性を有する第１の金属線と、
前記第１の金属線とほぼ同一方向に延びる複数本の糸と、
前記ライン、前記第１の金属線及び前記複数本の糸を被覆する被覆材と
を備えるケーブル。
（２）
前記複数本の糸が、綿糸もしくは化学繊維の少なくとも一方を含む（１）に記載のケーブル。
（３）
前記第１の金属線の周囲が絶縁被膜によって覆われた（１）に記載のケーブル。
（４）
少なくとも一端に電子機器との接続のための接続装置が設けられた（１）に記載のケーブル。
（５）
前記接続装置が回り止めを有する（４）に記載のケーブル。
（６）
前記回り止めは、前記接続装置の周面に樹脂又は金属で構成されている（５）に記載のケーブル。
（７）
前記回り止めは、前記接続装置の挿入部と接近／離間可能なように弾性を有する（６）に記載のケーブル。
（８）
前記回り止めが弾性を有する樹脂からなり、前記回り止めの表面にエラストマーが被覆された（７）に記載のケーブル。
（９）
前記第１の金属線は、複数本の金属線を束ねたものである（１）に記載のケーブル。
（１０）
前記ケーブルはアンテナを含むことを特徴とする（１）に記載のケーブル。
（１１）
前記第１の金属線がアンテナであること特徴とする（１）に記載のケーブル。
（１２）
前記第１の金属線と異なる第２の金属線を含み、前記第２の金属線の周囲が絶縁被膜によって覆われていることを特徴とする（１）に記載のケーブル。
（１３）
前記第２の金属線が、アンテナであることを特徴とする（１２）に記載のケーブル。
（１４）
前記ライン、前記第１の金属線及び前記複数本の糸の周囲にシールド線が形成され、同軸状ケーブルとして構成とされている（１）に記載のケーブル。
（１５）
前記シールド線がアンテナである（１４）に記載のケーブル。
（１６）
前記信号又は電源を供給するラインがオーディオ信号伝送ラインである（１）に記載のケーブル。
（１７）
前記信号又は電源を供給するラインがＵＳＢケーブル、ＨＤＭＩ（登録商標）ケーブルである１に記載のケーブル。
【００６８】
１，１’・・・アンテナ付イヤホンケーブル
２，１１２・・・４極プラグ
３，７，９・・・回り止め
５，１０２・・・４極ジャック
１１・・・金属線
１２Ｌ，１２Ｒ，１２Ｇ，１２Ｍ・・・オーディオ伝送ライン
１４・・・シールド線
２１・・・信号線
２４・・・絶縁被覆
２５・・・信号ケーブル
２６・・・綿糸
２７・・・同軸ケーブル
３１・・・室内アンテナエレメント
３５・・・ケーブルスタンド
４１ａ〜４１ｇ、４３ａ〜４３ｃ、４４・・・線材
４２・・・絶縁被膜
５０Ａ，５０Ｂ，５０Ｃ・・・ケーブル
５１・・・アンテナ機能を有する束ね線
１１１・・・イヤホン部
【図１】
2017141295.tif 000009
【図２】
2017141295.tif 000010
【図３】
2017141295.tif 000011
【図４】
2017141295.tif 000012
【図５】
2017141295.tif 000013
【図６】
2017141295.tif 000014
【図７】
2017141295.tif 000015
【図８】
2017141295.tif 000016
【図９】
2017141295.tif 000017
【図１０】
2017141295.tif 000018
【図１１】
2017141295.tif 000019
【図１２】
2017141295.tif 000020
【図１３】
2017141295.tif 000021
【図１４】
2017141295.tif 000022
【図１５】
2017141295.tif 000023
【図１６】
2017141295.tif 000024
【図１７】
2017141295.tif 000025
【図１８】
2017141295.tif 000026
【図１９】
2017141295.tif 000027
【図２０】
2017141295.tif 000028
【図２１】
2017141295.tif 000029
【図２２】
2017141295.tif 000030
【図２３】
2017141295.tif 000031
【図２４】
2017141295.tif 000032
【図２５】
2017141295.tif 000033
【国際調査報告】
2017141295.tif 000034
2017141295.tif 000035
2017141295.tif 000036
2017141295.tif 000037